Podtech/llm-jp-corpus-v4-ja_patent huggingface dataset:
【誤訳訂正書】
【提出日】平成29年9月20日(2017.9.20)
【誤訳訂正１】
【訂正対象書類名】特許請求の範囲
【訂正対象項目名】全文
【訂正方法】変更
【訂正の内容】
【特許請求の範囲】
【請求項１】
前方面と後方面の間を延びていて第１の椎骨係合面及び第２の椎骨係合面を含んでいるインプラント本体、
を備えている脊椎インプラントにおいて、
前記インプラント本体は、少なくとも第１の空洞及び前記第１の空洞から間隔を空けて配置されている第２の空洞を画定している内面を更に含んでおり、
前記第１の空洞は、締結具を被術者身体の左側と右側の両方に関する軸に対して斜めに植え込むように向きを定められており、前記第２の空洞は、締結具を前記左側と右側の両方に関する軸と実質的に整列して植え込むように向きを定められており、
前記第１の空洞と前記第２の空洞は、前記インプラント本体を貫通している、
脊椎インプラント。
【請求項２】
前記第１の椎骨係合面と前記第２の椎骨係合面との一方は、前記被術者身体の頭方向きに配置可能である、請求項１に記載の脊椎インプラント。
【請求項３】
前記第１の空洞は斜方手術経路と整列して配置可能であり、前記第２の空洞は前方手術経路と整列して配置可能である、請求項１に記載の脊椎インプラント。
【請求項４】
前記第１の空洞は前記左側と右側の両方に関する軸に対して斜角に配置されている長手方向軸を画定しており、前記斜角は０−６０度の範囲にある、請求項１に記載の脊椎インプラント。
【請求項５】
前記第１の空洞は、前記左側と右側の両方に関する軸に対して１５度の角度に配置されていて斜方手術経路と実質的に整列する長手方向軸を画定しており、よって当該第１の空洞は前記締結具を前記経路を経由して受け入れるように構成されている、請求項１に記載の脊椎インプラント。
【請求項６】
前記内面は、前記第１の空洞と第２の空洞を含んでいる部材を配置させるように構成されている横断孔を更に画定している、請求項１に記載の脊椎インプラント。
【請求項７】
前記部材は前記インプラント本体に対して可動である、請求項６に記載の脊椎インプラント。
【請求項８】
前記部材は前記インプラント本体に対して回転可能である、請求項６に記載の脊椎インプラント。
【請求項９】
前記部材は前記インプラント本体に対して２０度の回転範囲で回転可能である、請求項８に記載の脊椎インプラント。
【請求項１０】
前記部材は前記インプラント本体に対して第１の方向に１０度及び第２の方向に１０度の回転範囲で回転可能である、請求項８に記載の脊椎インプラント。
【請求項１１】
前記部材は前記第１の空洞の一部分を画定しているねじの切られた面及び前記第２の空洞の一部分を画定しているねじの切られた面を含んでいる、請求項６に記載の脊椎インプラント。
【請求項１２】
前記部材は、前記インプラント本体に対して可動であり、その様な運動を阻止及び／又は防止するように構成されているストッパを含んでいる、請求項６に記載の脊椎インプラント。
【請求項１３】
前記ストッパは第１の方向及び第２の方向への運動を阻止及び／又は防止する、請求項１２に記載の脊椎インプラント。
【誤訳訂正２】
【訂正対象書類名】明細書
【訂正対象項目名】０００５
【訂正方法】変更
【訂正の内容】
【０００５】
[0004]１つの実施形態では、前方面と後方面の間を延びていて第１の椎骨係合面及び第２の椎骨係合面を含んでいるインプラント本体、を備えている脊椎インプラントが提供されている。インプラント本体は、少なくとも第１の空洞及び第１の空洞から間隔を空けて配置されている第２の空洞を画定している内面を含んでいる。第１の空洞は、締結具を被術者身体の左側と右側の両方に関する軸（以下、本願明細書において両側軸という）に対して斜めに植え込むように向きを定められている。第２の空洞は、締結具を両側軸と実質的に整列して植え込むように向きを定められている。幾つかの実施形態では、システム及び方法が提供されている。
【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
液体のコーティング製品を少なくとも１つの噴霧器（４）に供給するための装置（２）において、前記噴霧器に向かう前記コーティング製品の流量を制御する少なくとも１つの弁（１００、２００）を含む装置であって、前記弁が順に、
−  動作する針（１３２）と、
−  前記コーティング製品のための循環容積（１０４Ａ、１０６Ａ、１１５、１１６）と弁の閉鎖構成における前記針を担持する座部（１１４）とを画定する弁本体（１０２、２０２）と、
−  離隔または接近軸（Ｘ１２０）に沿って前記座部に対して前記針を並進運動させるための空気圧駆動手段（１２８、１４０、１４６）であって、並進運動に関して前記針に固定されるとともにガイド本体（１２２）の中を滑動するように組付けられた、単一のピストン（１４０）を含む、空気圧駆動手段と、
を含み、前記空気圧駆動手段が、前記ピストン（１４０）の中に配置されたトランスファチャンバ（１７８）に貫入する末端部（１７６）を含んでおり、流体連通手段（１８４）が、前記トランスファチャンバ（１７８）を、前記ピストンの第１の面（１４２）と前記ガイド本体（１２２）とにより画定される第１の可変容積チャンバ（１６５）に連結していることを特徴とする装置。
【請求項２】
前記流体連通手段（１８４）が、前記ピストン（１４０）の中に配置された管路（１８４）であって、前記末端部（１７６）または前記トランスファチャンバ（１７８）と前記第１の可変容積チャンバ（１６５）とを連結する管路を含むことを特徴とする、請求項１に記載の装置。
【請求項３】
前記ガイド本体（１２２）に対して固定されたヘッド（１５０）であって、前記ガイド本体と、前記第１の面（１４２）の反対側の前記ピストン（１４０）の第２の面（１４４）とにより、前記ピストンを一つの位置に復帰させるための弾性復帰部材（１６２）が内部に具備されている第２の可変容積チャンバ（１６３）を画定する、ヘッド（１５０）をさらに含むことを特徴とする、請求項１〜２の一項に記載の装置。
【請求項４】
前記末端部（１７６）が、前記ヘッド（１５０）に属しているか、または前記ヘッドにより支持されている一方で、前記ピストン（１４０）の中に配置された前記トランスファチャンバ（１７８）の中で、滑動する形で、かつ、密に係合されており、前記流体連通手段（１８４）が、前記トランスファチャンバと前記第１の可変容積チャンバ（１６５）とを連結していることを特徴とする、請求項３に記載の装置。
【請求項５】
前記末端部（１７６）が、前記ピストン（１４０）に属しているか、または前記ピストンにより支持されている一方で、前記ピストン（１４０）の中に配置された前記トランスファチャンバ（１７８）の中で、滑動する形で、かつ、密に係合されており、前記流体連通手段（１８４）が、前記末端部と前記第１の可変容積チャンバ（１６５）とを連結していることを特徴とする、請求項３に記載の装置。
【請求項６】
前記ヘッド（１５０）は、供給管が前記末端部（１７６）に加圧気体を供給する構成において、前記トランスファチャンバ（１７８）に加圧気体を供給する供給管（４００）の一方の端部（４０１）を収容するための容積（１９４）を画定しており、前記ヘッドには、収容する前記容積の中に前記供給管の端部を保持するための手段（１８６）が具備されていることを特徴とする、請求項３〜５の一項に記載の装置。
【請求項７】
前記弁（１００、２００）には、前記座部（１１４）に対する前記針（１３２）の位置の少なくとも２つのインジケータ（１６４、１６６）が備えられており、前記２つのインジケータが離隔または接近軸（Ｘ１２０）のいずれかの側に位置づけされ、前記弁の外部から見えることを特徴とする、請求項６の一項に記載の装置。
【請求項８】
前記２つのインジケータが、前記ピストン（１４０）に組付けられたピン（１６４、１６６）であり、前記離隔または接近軸（Ｘ１２０）に対して平行に、前記ヘッド（１５０）を通って延在し、前記弁の１つの構成において前記ヘッドから前記ピンが突出していることを特徴とする、請求項７に記載の装置。
【請求項９】
前記装置が、前記針（１３２）の下流側で、前記噴霧器（４）に連結すべき共通コレクタ（３００）の一部（Ｔ３００）を各々形成する複数の弁（１００、２００）を含み、前記弁が前記装置（２）の主軸（Ｘ２）に沿って整列されていることを特徴とする、請求項１〜８の一項に記載の装置。
【請求項１０】
前記離隔または接近軸（Ｘ１２０）が前記主軸（Ｘ２）に対して４５°〜８５°の角度（α）だけ傾斜しており、前記弁（１００、２００）により形成される前記共通コレクタの一部（Ｔ３００）が、２つの分岐（１１５、１１６）を含み、前記分岐のそれぞれの長手方向軸（Ｘ１１５、Ｘ１１６）が間に１０°超の角度（β）を形成していることを特徴とする、請求項９に記載の装置。
【請求項１１】
前記末端部（１７６）が前記トランスファチャンバ（１７８）の中で滑動する形で係合されていることを特徴とする、請求項１〜１０の一項に記載の装置。
【請求項１２】
前記離隔または接近軸（Ｘ１２０）が、前記主軸に対して５０°〜６０°の角度（α）だけ傾斜していることを特徴とする、請求項１０に記載の装置。
【請求項１３】
前記２つの分岐（１１５、１１６）のそれぞれの前記長手方向軸（Ｘ１１５、Ｘ１１６）が、２０°〜３０°の角度を間に形成していることを特徴とする、請求項１０に記載の装置。
【手続補正書】
【提出日】平成29年11月17日(2017.11.17)
【手続補正１】
【補正対象書類名】特許請求の範囲
【補正対象項目名】全文
【補正方法】変更
【補正の内容】
【特許請求の範囲】
【請求項１】
α−シヌクレインに対する抗体又はα−シヌクレインに対する抗体を誘導するα−シヌクレインの断片を含む、レビー小体病を患っている被験体における便秘を治療するための医薬組成物。
【請求項２】
便秘症状をモニターされているレビー小体病を患っている被験体における便秘を治療するための請求項１に記載の医薬組成物。
【請求項３】
前記免疫療法剤がヒト化９Ｅ４抗体であり、前記用量が０．３〜１．０ｍｇ／ｋｇ、１．０〜３．０ｍｇ／ｋｇ、３．０〜１０ｍｇ／ｋｇまたは１０〜３０ｍｇ／ｋｇであり、２８〜３１日ごとに１回（随意に毎月）の頻度で投与される、請求項１又は２に記載の医薬組成物。
【請求項４】
前記抗体が、配列番号：３７の重鎖可変領域及び配列番号：３２の軽鎖可変領域を含むヒト化９Ｅ４である、請求項１〜３のいずれか一項に記載の医薬組成物。
【請求項５】
免疫療法レジームを評価する方法であって、
α−シヌクレインに対する免疫療法レジームを、α−シヌクレイン導入遺伝子を発現しレビー小体病の徴候及び症状を示すように配置された遺伝子導入動物モデルへ投与することと；
免疫療法レジームの投与の前後に１つまたは複数の便秘症状を決定し、症状の改善が、免疫療法レジームがレビー小体病を治療するのに有用であるという指標を提供することと、
を含む、該方法。
【請求項６】
前記免疫療法剤がヒト化９Ｅ４抗体であり、前記用量が０．３〜１．０ｍｇ／ｋｇ、１．０〜３．０ｍｇ／ｋｇ、３．０〜１０ｍｇ／ｋｇまたは１０〜３０ｍｇ／ｋｇであり、２８〜３１日ごとに１回（随意に毎月）の頻度で投与される、請求項５に記載の方法。
【請求項７】
ヒト化９Ｅ４抗体を用量０．３ｍｇ／ｋｇ〜３０ｍｇ／ｋｇの頻度で含む、レビー小体病を治療するための医薬組成物。
【請求項８】
前記用量が１０〜３０ｍｇ／ｋｇである、請求項７に記載の医薬組成物。
【請求項９】
前記ヒト化９Ｅ４抗体が、配列番号：３２の軽鎖可変領域及び配列番号：３７の重鎖可変領域を有する、請求項７又は８に記載の医薬組成物。
【手続補正書】
【提出日】平成29年10月5日(2017.10.5)
【手続補正１】
【補正対象書類名】特許請求の範囲
【補正対象項目名】全文
【補正方法】変更
【補正の内容】
【特許請求の範囲】
【請求項１】
身体及び脳のうちの少なくとも一方における異常を決定するためのシステムであって、
ヒトの脳熱トンネルからの熱信号を受信するように位置決めされ、該熱信号を表すセンサ信号を送信するように構成されたセンサと、
前記センサ信号を受信し、該センサ信号を予め決められた値と比較し、かつ該比較から異常温度条件を決定するように構成されたコントローラと、
を含むことを特徴とするシステム。
【請求項２】
電気的に絶縁されたマイクロプロセッサを更に含むことを特徴とする請求項１に記載のシステム。
【請求項３】
前記センサは、サーミスタであることを特徴とする請求項１に記載のシステム。
【請求項４】
内部又は外部コントローラを更に含むことを特徴とする請求項１に記載のシステム。
【請求項５】
ディスプレイを更に含むことを特徴とする請求項１に記載のシステム。
【請求項６】
前記ディスプレイは、少なくとも１つの温度限界インジケータを含むことを特徴とする請求項５に記載のシステム。
【請求項７】
前記少なくとも１つの温度限界インジケータは、高温限界インジケータであることを特徴とする請求項６に記載のシステム。
【請求項８】
前記高温限界インジケータは、第１の色で表示されるように構成されることを特徴とする請求項７に記載のシステム。
【請求項９】
前記少なくとも１つの温度限界インジケータは、低温限界インジケータであることを特徴とする請求項６に記載のシステム。
【請求項１０】
前記低温限界インジケータは、第２の色で表示されるように構成されることを特徴とする請求項９に記載のシステム。
【請求項１１】
前記ディスプレイは、少なくとも１つの温度インジケータを含むことを特徴とする請求項５に記載のシステム。
【請求項１２】
前記少なくとも１つの温度インジケータは、第３の色で表示されるように構成されることを特徴とする請求項１１に記載のシステム。
【請求項１３】
前記少なくとも１つの温度限界インジケータは、外部デバイスを用いて調節可能であることを特徴とする請求項１１に記載のシステム。
【請求項１４】
前記外部デバイスは、コンピュータ、タブレット、セル電話、腕時計、及び１対の眼鏡のうちの１つであることを特徴とする請求項１３記載のシステム。
【請求項１５】
前記外部デバイスへのシステムの接続が、無線接続又は物理的ポートのうちの一方によるものであることを特徴とする請求項１４に記載のシステム。
【請求項１６】
前記センサの接続のためのポートを更に含み、
前記ポートは、該ポートでの電流を５００マイクロアンペア未満に制限するように構成される、
ことを特徴とする請求項１に記載のシステム。
【請求項１７】
前記サーミスタは、直径が５ミリメートル又はそれ未満であるように構成されることを特徴とする請求項３に記載のシステム。
【請求項１８】
前記サーミスタは、直径が３ミリメートル又はそれ未満であるように構成されることを特徴とする請求項３に記載のシステム。
【請求項１９】
身体及び脳のうちの少なくとも一方における異常を決定するためのシステムであって、
ヒトの脳熱トンネルからの熱信号を受信するように位置決めされ、該熱信号を表すセンサ信号を送信するように構成されたセンサと、
前記センサ信号を受信し、該センサ信号を分析し、かつ該分析から前記ヒトの病状を決定するように構成されたコントローラと、
を含むことを特徴とするシステム。
【請求項２０】
身体及び脳のうちの少なくとも一方における異常を決定するためのシステムであって、
ヒトの脳熱トンネルからの熱信号を受信するように位置決めされ、該熱信号を表すセンサ信号を送信するように構成されたセンサと、
前記センサ信号を受信し、該センサ信号を分析し、かつ該分析から前記ヒトの差し迫った病状を決定するように構成されたコントローラと、
を含むことを特徴とするシステム。
【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
第１電極および前記第１電極に隣接する第２電極を含むナノギャップ電極装置であって、前記第１電極は、前記生体分子を通して流すことを可能にする寸法のナノギャップにより前記第２電極から分離され、前記ナノギャップは、少なくとも第１ギャップ領域および第２ギャップ領域を有し、前記第２ギャップ領域は、前記第１ギャップ領域を有する面に対してゼロ度を超える角度で配向する、ナノギャップ電極装置と、
前記ナノギャップ電極装置に接続した電気回路であって、前記ナノギャップを通る前記生体分子の流れに関して前記第１電極および前記第２電極から電気信号を受信する電気回路と
を備える、
生体分子を検出するシステム。
【請求項２】
前記第１電極は、基板に隣接する、請求項１に記載のシステム。
【請求項３】
前記第２電極は、前記第１電極と接触している絶縁層に隣接する、請求項２に記載のシステム。
【請求項４】
前記第１電極は、第１部分および前記第１部分に隣接する第２部分を備え、前記第１部分および前記第２部分は、前記基板と隣接し、前記第１部分は、前記第２部分より大きな厚みを有する、請求項２に記載のシステム。
【請求項５】
前記第１部分は、前記第２ギャップ領域を部分的に規定する表面を有し、前記第２部分は、前記第１ギャップ領域を部分的に規定する表面を有する、請求項４に記載のシステム。
【請求項６】
前記第１電極または前記第２電極の一部は、単一原子先端を有する、請求項１に記載のシステム。
【請求項７】
前記第２ギャップ領域の終端は、前記第１ギャップ領域と接続されている、請求項１に記載のシステム。
【請求項８】
前記ナノギャップ電極装置と流体連通する少なくとも１つのチャネルをさらに備え、前記ナノギャップに前記生体分子を向かわせるように構成された、請求項１に記載のシステム。
【請求項９】
前記チャネルは、マイクロ流体構造と統合される、請求項８に記載のシステム。
【請求項１０】
前記電気回路は、前記電気信号から前記生体分子またはその部分を向かわせるようにプログラムされたコンピュータプロセッサの一部である、請求項１に記載のシステム。
【請求項１１】
前記ナノギャップ電極装置は、ナノギャップ電極装置のアレイの一部である、請求項１に記載のシステム。
【請求項１２】
前記ナノギャップ電極装置は、前記アレイの他のナノギャップ電極装置に対して独立してアドレス可能である、請求項１１に記載のシステム。
【請求項１３】
前記ナノギャップは、終端が前記第１ギャップ領域と接続された第３ギャップ領域を有する、請求項１に記載のシステム。
【請求項１４】
第１電極および前記第１電極に隣接する第２電極を含むナノギャップ電極装置を備え、
前記第１電極は、前記生体分子を通して流すことを可能にする寸法のナノギャップにより前記第２電極から分離され、
前記ナノギャップは、少なくとも第１ギャップ領域および第２ギャップ領域を有し、
前記第２ギャップ領域は、前記第１ギャップ領域を有する面に対して略９０度の角度で配向し、
前記第２ギャップ領域の終端は、前記第１ギャップ領域に接続されている、
生体分子を検知するシステム。
【請求項１５】
（ａ）第１電極および前記第１電極に隣接する第２電極を有するナノギャップ電極装置に生体分子を向かわせる工程であって、前記第１電極は、前記生体分子を通して流すことを可能にする寸法のナノギャップにより前記第２電極から分離され、前記ナノギャップは、少なくとも第１ギャップ領域および第２ギャップ領域を有し、前記第２ギャップ領域は、前記第１ギャップ領域を有する面に対してゼロ度を超える角度で配向する工程と、
（ｂ）前記ナノギャップを通る前記生体分子の流れに関して電気信号を測定する工程と、
（ｃ）（ｂ）で測定した前記電気信号を使用して前記生体分子を検出することと、
を備える、
生体分子を検出する方法。
【請求項１６】
前記検出する工程は、前記生体分子またはその部分を示す参照信号に対して前記電気信号を比較することを備える、請求項１５に記載の方法。
【請求項１７】
前記検出する工程は、前記生体分子またはその部分を識別することを備える、請求項１５に記載の方法。
【請求項１８】
（ａ）基板に隣接する第１電極形成部を提供する工程と、
（ｂ）前記第１電極形成部の表面に隣接するギャップ形成層を形成する工程と、
（ｃ）前記ギャップ形成層に隣接する第２電極形成部を形成する工程と、
（ｄ）前記第１電極部と前記第２電極部の間にナノギャップを形成するために前記ギャップ形成層の一部を除去する工程と、
を備え、
前記ナノギャップは、生体分子を前記ナノギャップを通して流すことを可能にする寸法であり、
前記ナノギャップは、少なくとも第１ギャップ領域および第２ギャップ領域を有し、
前記第２ギャップ領域は、前記第１ギャップ領域を有する面に対してゼロ度を超える角度で配向する、
生体分子を検出する際に使用するナノギャップ電極を製造する方法。
【請求項１９】
（ｃ）の工程に続き、前記第１電極形成部の表面、前記ギャップ形成層の第２部分の表面、および前記第２電極形成部の表面を露出する工程をさらに備える、請求項１８に記載の方法。
【請求項２０】
それぞれが所定の形を有する第１電極部及び第２電極部を提供するため、前記第２電極形成部、前記ギャップ形成層および前記第１電極形成部をパターニングする工程をさらに含む、請求項１９に記載の方法。
【手続補正書】
【提出日】平成29年9月29日(2017.9.29)
【手続補正１】
【補正対象書類名】特許請求の範囲
【補正対象項目名】全文
【補正方法】変更
【補正の内容】
【特許請求の範囲】
【請求項１】
カレンダイベント情報を収集して、ユーザに対して提示するためのシステムであって、
モバイルコンピューティング装置と関連付けられたメモリ領域であって、前記メモリ領域がカレンダイベントを含む少なくとも１つのアプリケーションを記憶し、前記アプリケーションがデータ記憶のためにそれと関連付けられた前記メモリ領域の第１の部分を有するメモリ領域と、
ユーザインタフェース（ＵＩ）で前記カレンダイベントを提示する提示装置と、
プロセッサとを備え、
前記プロセッサが、
前記ＵＩで前記カレンダイベントを配置する要求を受け取り、
前記受け取られた要求に基づいて、前記アプリケーションの実行コンテキスト外の前記メモリ領域の第２の部分から、前記カレンダイベントに関するデータを受け取り、
前記受け取ったデータを前記ＵＩで提示するようにプログラムされた、
システム。
【請求項２】
前記プロセッサが、前記受け取ったデータに基づいて前記ＵＩを個人化するようにさらにプログラムされ、前記メモリ領域の前記第２の部分が別のアプリケーションと関連付けられており、かつ前記受け取ったデータを前記ＵＩで提示することは、アクティブなタイルを提示することを備える、請求項１に記載のシステム。
【請求項３】
前記プロセッサが、前記カレンダイベントのためのリマインダを追加すること、前記カレンダイベントの日に目覚ましアラームを設定すること、前記モバイルコンピューティング装置の着信音を設定すること、前記カレンダイベントと関連付けられた写真を記憶するためにフォトアルバムを作成すること、休暇返信電子メール設定を構成すること、前記カレンダイベントのためのやることリストを作成すること、前記モバイルコンピューティング装置のための背景画像を設定すること、前記カレンダイベントまでのカウントダウンタイマを設定すること、および前記モバイルコンピューティング装置のためのロック画面画像を設定することの１又は複数を行うことによって前記ＵＩを個人化するようにさらにプログラムされる、請求項１に記載のシステム。
【請求項４】
前記プロセッサが、前記カレンダイベントの発生後の規定の期間の間、前記受け取ったデータを断続的に表示するようにさらにプログラムされる、請求項１に記載のシステム。
【請求項５】
カレンダイベントを含むアプリケーションをユーザインタフェース（ＵＩ）で表示することと、
前記ＵＩで前記カレンダイベントを配置する要求を受け取ることと、
前記受け取られた要求に基づいて、前記アプリケーションの実行コンテキスト外の少なくとも１つのメモリ領域から、前記カレンダイベントに関するデータを取得することと、
前記取得したデータを前記ＵＩで表示することとを備える、方法。
【請求項６】
前記ＵＩで前記カレンダイベントを配置する要求を受け取ることが、ユーザからの前記要求を受け取ることを備え、
前記取得したデータのための統一資源識別子（ＵＲＩ）を生成することと、
前記生成したＵＲＩを前記アプリケーションの前記実行コンテキスト内に記憶することと、
前記記憶した、生成したＵＲＩを前記カレンダイベントと関連付けられた少なくとも１人の出席者と共有することとをさらに備える、請求項５に記載の方法。
【請求項７】
前記データを取得することが、前記アプリケーションの前記実行コンテキスト外で、前記データのテキストベースの検索を行うことを備え、前記カレンダイベントがそれと関連付けられた位置を有し、前記データを取得することが、検索語として前記位置を用いて前記データの検索を行うことを備え、または前記カレンダイベントがそれと関連付けられた開始時刻を有し、前記データを取得することが、前記開始時刻に基づいて前記データの検索を行うことを備える、請求項５に記載の方法。
【請求項８】
前記データを前記少なくとも１つのメモリ領域から取得することが、前記データをコンピューティング装置上のメモリ領域からおよび前記コンピューティング装置外のメモリ領域から取得することを備え、前記取得したデータが、テキストデータ、画像データ、ビデオデータ、および音声データの１又は複数を備える、請求項５に記載の方法。
【請求項９】
ユーザからの追加データを受け取ることと、前記追加データを前記アプリケーションの前記実行コンテキスト内に記憶することとをさらに備え、または前記カレンダイベントと関連付けられた少なくとも１人の出席者を特定することと、前記出席者と関連付けられたデータを取得することと、前記ＵＩを前記出席者と関連付けられた前記取得したデータで更新することとをさらに備える、請求項５に記載の方法。
【請求項１０】
前記取得したデータを前記ＵＩと関連付けられたデータ構造に記憶することと、
前記データ構造をコンピューティング装置に伝送することであって、前記コンピューティング装置が、前記データ構造を前記カレンダイベントに関する追加データで更新することと、
前記コンピューティング装置から前記更新されたデータ構造を受信することと、
前記ＵＩを前記受信した更新されたデータ構造で更新することとをさらに備える、請求項５に記載の方法。
【手続補正書】
【提出日】平成29年9月29日(2017.9.29)
【手続補正１】
【補正対象書類名】特許請求の範囲
【補正対象項目名】全文
【補正方法】変更
【補正の内容】
【特許請求の範囲】
【請求項１】
治療装置の利用に関するフィードバック情報を患者に提供するための患者フィードバックシステムであって、前記システムは、
前記患者の個人プロファイルデータを受信するための、データインタフェースと、
治療装置を利用する複数の参照患者からの参照プロファイルデータ及び参照装置設定を保存するためのデータベースであって、前記参照装置設定は、参照患者の治療装置がどのように設定されるかを示す少なくとも１つの装置パラメータを含む、データベースと、
前記患者の個人プロファイルデータを、前記データベースにおける前記参照患者の前記参照プロファイルデータと比較し、前記比較に基づいて、前記複数の参照患者から患者についてのコホートを決定するための、コホート選択モジュールであって、前記コホートは、前記患者の個人プロファイルデータに類似する参照プロファイルデータを持ち、前記患者と類似する又は同じ治療装置を利用している、前記参照患者のサブセットを有し、前記コホートの決定は更に、前記装置パラメータに関する統計的に有意なフィードバック情報の決定を可能とするために必要とされる前記装置パラメータの粒度に依存して、前記コホートにおける参照患者の最小の数を表す統計サンプルサイズを、前記少なくとも１つの装置パラメータのうち１つについて決定することを含む、コホート選択モジュールと、
前記コホートにおける前記参照患者の参照装置設定に基づいてフィードバック情報を決定し、前記フィードバック情報を前記患者に提供するための、フィードバックユニットと、
を有する、患者フィードバックシステム。
【請求項２】
前記フィードバック情報は、前記コホートにおける前記参照患者の前記参照装置設定からの、前記患者の前記治療装置設定の偏差を示す、偏差パラメータを含む、請求項１に記載の患者フィードバックシステム。
【請求項３】
前記コホートにおける前記参照患者の前記参照装置設定に基づいて、提案される治療装置設定を決定するための、治療モジュールを有し、前記フィードバック情報は、前記提案される治療装置設定を含む、請求項１に記載の患者フィードバックシステム。
【請求項４】
前記インタフェースを介して受信された個人プロファイルデータを標準的なフォーマットに変換するためのフォーマットモジュールを更に有する、請求項１に記載の患者フィードバックシステム。
【請求項５】
前記個人プロファイルデータ又は前記参照プロファイルデータはそれぞれ、
患者又は参照患者の睡眠プロファイル、特に睡眠時間及び／又は無呼吸−低呼吸指数、
患者又は参照患者の生理学的データ、特に患者又は参照患者の性別、年齢、体重又は身長、
患者又は参照患者の生体信号、
患者又は参照患者の医療履歴、及び
患者又は参照患者によって利用された治療装置のタイプ及び／又はシリアル番号
を示す少なくとも１つのプロファイルパラメータを含む、請求項１に記載の患者フィードバックシステム。
【請求項６】
前記個人プロファイルデータは更に、
前記コホートを決定するときの前記少なくとも１つのプロファイルパラメータの重要性を示す前記少なくとも１つのプロファイルパラメータについての重要度因子、及び
前記コホートを決定するときの許容可能なオフセットを示す前記少なくとも１つのプロファイルパラメータについての範囲値
を含む、請求項５に記載の患者フィードバックシステム。
【請求項７】
前記コホート選択モジュールは、前記患者についての前記コホートの決定において、前記範囲値及び前記重要度因子を含ませるよう構成された、請求項６に記載の患者フィードバックシステム。
【請求項８】
前記個人プロファイルデータは更に、前記少なくとも１つのプロファイルパラメータについて、前記コホートを決定する際に許容可能なオフセットを示す範囲値を含み、
前記患者の前記個人プロファイルデータの、前記参照患者の前記参照プロファイルデータとの比較は、前記少なくとも１つのプロファイルパラメータについての前記範囲値に基づき、
前記複数の参照患者からの前記患者についてのコホートの決定は、前記コホートにおける参照患者の数が前記統計サンプルサイズに略等しくなるまで、前記範囲値を調節することを更に含む、
請求項５に記載の患者フィードバックシステム。
【請求項９】
前記患者の個人プロファイルデータの受信は、前記患者の睡眠プロファイル及び／又は生体信号を示す前記少なくとも１つのプロファイルパラメータを測定する監視装置からの個人プロファイルデータの受信を含む、請求項５に記載の患者フィードバックシステム。
【請求項１０】
前記インタフェースは更に、参照プロファイルデータ又は参照装置設定を自ら前記データベースに提供する患者から個人プロファイルデータ及び／又は治療装置設定を受信するのに適したものである、請求項１に記載の患者フィードバックシステム。
【請求項１１】
前記治療装置は、前記患者への加圧気体の流れを提供するよう構成された、請求項１に記載の患者フィードバックシステム。
【請求項１２】
治療装置の利用についてのフィードバック情報を患者に提供するための患者フィードバック方法であって、前記方法は、
前記患者の個人プロファイルデータを受信するステップと、
治療装置を利用する複数の参照患者からの参照プロファイルデータ及び参照装置設定を保存するステップであって、前記参照装置設定は、参照患者の治療装置がどのように設定されるかを示す少なくとも１つの装置パラメータを含むステップと、
前記患者の個人プロファイルデータを、前記データベースにおける前記参照患者の前記参照プロファイルデータと比較するステップと、
前記比較に基づいて、前記複数の参照患者からの患者についてのコホートを決定するステップであって、前記コホートは、前記患者の個人プロファイルデータに類似する参照プロファイルデータを持ち、前記患者と類似する又は同じ治療装置を利用している、前記参照患者のサブセットを有し、前記コホートを決定するステップは更に、前記装置パラメータに関する統計的に有意なフィードバック情報の決定を可能とするために必要とされる前記装置パラメータの粒度に依存して、前記コホートにおける参照患者の最小の数を表す統計サンプルサイズを、前記少なくとも１つの装置パラメータのうち１つについて決定するステップを含むステップと、
前記コホートにおける前記参照患者の参照装置設定に基づいてフィードバック情報を決定し、前記フィードバック情報を前記患者に提供するステップと、
を有する、患者フィードバック方法。
【請求項１３】
コンピュータプログラムであって、前記コンピュータプログラムがコンピュータ上で実行されたときに、請求項１２に記載の方法のステップを前記コンピュータに実行させるためのプログラムコード手段を有する、コンピュータプログラム。
【誤訳訂正書】
【提出日】平成29年6月21日(2017.6.21)
【誤訳訂正１】
【訂正対象書類名】明細書
【訂正対象項目名】００１８
【訂正方法】変更
【訂正の内容】
【００１８】
別の態様において、本方法は、強度カットオフ限界を決定し、偽陰性ならびに偽陽性を最小化し、希少細胞の検出を容易にする工程を含む。1つの局面において、検出可能な因子は陽性マーカーであり、かつ該強度限界は、陽性マーカーの背景シグナルに関する、平均値、標準偏差、変動係数、他の統計パラメータまたはそれらの任意の組み合わせを用いて決定される。別の局面において、検出可能な因子は陽性マーカーであり、かつ該強度限界は、陽性マーカーの最も高いシグナル事象を同定し、最も高いシグナル事象の全てまたはサブセットのシグナルから計算される平均値および標準偏差と比較することにより、単一の画像またはその画像の一部分の範囲内で決定される。さらに別の局面において、検出可能な因子は陰性マーカーであり、かつ陰性マーカーに関する該強度限界は、希少ではない細胞（全ての希少ではない細胞、あるいは特定のサブセットのいずれか）の陰性マーカーのシグナルの平均値および標準偏差を用いて決定される。
【手続補正書】
【提出日】平成29年2月24日(2017.2.24)
【手続補正１】
【補正対象書類名】特許請求の範囲
【補正対象項目名】全文
【補正方法】変更
【補正の内容】
【特許請求の範囲】
【請求項１】
生理学的に許容される媒体中に、水性相および油性相を少なくとも含有するエマルジョンを含む化粧料組成物であって、上記油性相は、下記：
（ｉ）９９．９重量％までのシリコーンエラストマーおよび０．１〜１０重量％の界面活性剤からなるコンパウンド、ここで上記界面活性剤は、Ｃ１０〜Ｃ１８脂肪族アルコールのポリオキシエーテルから選択される；
（ｉｉ）シリコーン樹脂で被覆されたシリコーンエラストマー粉末、および
（ｉｉｉ）アルキル（メタ）アクリレートモノマーを少なくとも含むポリマーを含有するフィラー
を少なくとも含み、コンパウンド（ｉ）のシリコーンエラストマーが粉末（ｉｉ）と異なるところの組成物。
【請求項２】
生理学的に許容される媒体中に、水性相および油性相を少なくとも含有するエマルジョンを含む化粧料組成物であって、上記油性相は、下記：
（ｉ）界面活性剤と会合した形態で存在するシリコーンエラストマー、
（ｉｉ）シリコーン樹脂で被覆されたシリコーンエラストマー粉末、および
（ｉｉｉ）アルキル（メタ）アクリレートモノマーを少なくとも含むポリマーを含有するフィラー
を少なくとも含み、（ｉ）のシリコーンエラストマーが粉末（ｉｉ）と異なるところの組成物。
【請求項３】
油中水型（Ｗ／Ｏ）または多層（Ｏ／Ｗ／Ｏ）エマルジョンの形態である、請求項１または２に記載の組成物。
【請求項４】
（ｉ）のシリコーンエラストマーおよび界面活性剤が、３０〜１０００の範囲のエラストマー／界面活性剤の乾燥重量比で会合している、請求項１〜３のいずれか一項に記載の組成物。
【請求項５】
（ｉ）の界面活性剤と会合したシリコーンエラストマーが、上記油性相に分散した水性小滴中にある、請求項１〜４のいずれか一項に記載の組成物。
【請求項６】
分散した水性小滴中のシリコーンエラストマーが、部分的にまたは全体的に架橋されたエラストマー状オルガノポリシロキサン粒子である、請求項５に記載の組成物。
【請求項７】
上記シリコーンエラストマーが、組成物中に、０．１〜３０重量％の範囲の活性物質量で存在する、請求項１〜６のいずれか一項に記載の組成物。
【請求項８】
（ｉ）のシリコーンエラストマーと会合した界面活性剤が、４〜１２個のオキシエチレン単位を含む、ポリエチレングリコールとＣ１２〜Ｃ１６脂肪酸とのポリマーから選択される、請求項１〜７のいずれか一項に記載の組成物。
【請求項９】
シリコーン樹脂で被覆されたシリコーンエラストマー粉末の粒子が、０．１μｍ〜５００μｍの範囲の平均サイズを有する球形である、請求項１〜８のいずれか一項に記載の組成物。
【請求項１０】
シリコーン樹脂で被覆されたシリコーンエラストマー粉末の粒子が、ビニルジメチコン／メチコンシルセスキオキサンクロスポリマーのＩＮＣＩ名を有する、請求項１〜９のいずれか一項に記載の組成物。
【請求項１１】
シリコーン樹脂で被覆されたシリコーンエラストマー粉末が、組成物中に、組成物の総重量に対して１〜２０重量％の範囲の含有量で存在する、請求項１〜１０のいずれか一項に記載の組成物。
【請求項１２】
アルキル（メタ）アクリレートモノマーを少なくとも含むポリマーを含有するフィラーが、
ポリメチルメタクリレート、
メチルメタクリレートとブチルアクリレートのコポリマー、
メチルアクリレートとエチレンのコポリマー、
メチルメタクリレートとエチレングリコールビス（メタクリレート）の架橋コポリマー、および
メチルメタクリレートとエチレンビス（メタクリレート）の架橋コポリマー
から選択される、請求項１〜１１のいずれか一項に記載の組成物。
【請求項１３】
アルキル（メタ）アクリレートモノマーを少なくとも含むポリマーを含有するフィラーが、組成物中に、組成物の総重量に対して０．１〜１５重量％の範囲の量で存在する、請求項１〜１２のいずれか一項に記載の組成物。
【請求項１４】
艶消し剤、多孔性シリカ微粒子、中空シリコーン樹脂半球状粒子およびシリコーン樹脂粉末から選択される少なくとも１つの追加のフィラーを含む、請求項１〜１３のいずれか一項に記載の組成物。
【請求項１５】
メイクアップベースまたはファンデーションであることを特徴とする、請求項１〜１４のいずれか一項に記載の組成物。
【請求項１６】
少なくとも下記の２の工程（ａ）および（ｂ）：
（ａ）水性相および油性相を撹拌しながら乳化することにより、Ｗ／ＯまたはＯ／Ｗ／Ｏエマルジョンを調製する工程、ここで外側油性相は、ポリアルキル（メタ）アクリレートから選択された少なくとも１つのフィラー、および少なくとも１つの、シリコーン樹脂で被覆されたシリコーンエラストマー粉末を含有する、および
（ｂ）外側油性相に、界面活性剤と会合した形態のシリコーンエラストマーを導入する工程
をこの順序で含む、請求項３〜１５のいずれか一項に記載の化粧料組成物の製造方法。
【請求項１７】
皮膚のメイクアップおよび／またはケア方法であって、請求項１〜１５のいずれか一項に記載の組成物を施与する工程を含む方法。
【手続補正書】
【提出日】平成29年4月21日(2017.4.21)
【手続補正１】
【補正対象書類名】特許請求の範囲
【補正対象項目名】全文
【補正方法】変更
【補正の内容】
【特許請求の範囲】
【請求項１】
免疫調節および／または刺激のための組成物であって、１００ｇまたは１００ｍｌあたり、
・１０μｇ乃至１０００μｇの、マグネシウムからなる陽性に荷電したミネラル、
・１０μｇ乃至１０００μｇの、亜鉛および鉄から選択される金属、
・７μｇ乃至７００μｇの、クロスグリ小核果油（カシス種油）およびアブラヤシ油（パーム油）から選択される少なくとも１の植物油、
・６μｇ乃至６００μｇの、タチジャコウソウ（タイム）、シサー・アリティナム（ヒヨコマメ）およびエルバム・レンズ（Ｅｒｖｕｍ  ｌｅｎｓ）（レンズマメ）から選択される、少なくとも２の植物抽出物、
・６μｇ乃至６００μｇの、コンブ（ヒバマタ属）、ウンダリア・ピンナティフィダ（ワカメ）、パルマリア・パルマータ（ダルス）およびポルフィラ・ウンビリカリス（海苔）から選択される、少なくとも１の藻類、
・７μｇ乃至７００μｇの、レンチニューラ・エドデス（シイタケ）およびグリフォラ・フロンドサ（マイタケ）から選択される、少なくとも１のキノコ、
・８μｇ乃至８００μｇの、ビタミンＡ、Ｂ１、Ｂ２、Ｂ５、Ｂ６、Ｂ９、Ｃ、Ｅ、ＰＰ（Ｂ３）から選択される、少なくとも１のビタミン、
任意に適切な賦形剤との組み合わせを含んでなる、組成物。
【請求項２】
ビタミンＡの投与重量が、前記組成物の１２０乃至８００μｇ／１００ｇである、請求項１に記載の組成物。
【請求項３】
亜鉛の重量が、前記組成物において０．２２５乃至１ｍｇ／１００ｇである、請求項１に記載の組成物。
【請求項４】
適切な賦形剤が薬剤的に許容される賦形剤である、請求項１〜３のいずれか一項に記載の組成物。
【請求項５】
食物調製物、栄養補助食品、栄養補給食品、または飲料に用いられる、請求項１〜４のいずれか一項に記載の組成物。
【請求項６】
請求項１〜４のいずれか一項に記載の組成物を含んでなる、薬剤。
【請求項７】
ウイルス感染、細菌感染、マラリアのような寄生虫感染、真菌感染、重複感染および突発性の感染を含む病原性感染に関連する症状を防止および／または緩和する方法において使用するための、請求項１〜４のいずれか一項に記載の組成物。
【請求項８】
突発性の感染が、冬季の感染、流感症候群、気管支炎、結核、ＥＮＴを含む下気道および上気道感染、尿路、腸および皮膚の感染を含む、請求項７に記載の組成物。
【請求項９】
肺、ＥＮＴ、尿路または皮膚の感染を含む、肺の重複感染に対する抗生物質を強化する方法において用いられる、請求項１〜４のいずれか一項に記載の組成物。
【請求項１０】
慢性の病態によって起こる二次感染を減少させる方法において用いられる、請求項１〜４のいずれか一項に記載の組成物。
【請求項１１】
粘膜の免疫防御を増強させる方法において用いられる、請求項１〜４のいずれか一項に記載の組成物。
【請求項１２】
慢性閉塞性気管支肺症（ＣＯＰＤ）または気管支拡張症の治療もしくは防止のための、請求項１０または１１に記載の組成物。
【請求項１３】
ＨＩＶ／ＡＩＤＳ疾患を緩和する方法において用いられる、請求項１〜４のいずれか一項に記載の組成物。
【請求項１４】
不適当な免疫応答または感染による炎症を調節する方法において用いられる、請求項１〜４のいずれか一項に記載の組成物。
【請求項１５】
ワクチン接種プロトコルの抗原タンパク質に対する免疫応答を増強する方法において用いられる、請求項１〜４のいずれか一項に記載の組成物。
【手続補正書】
【提出日】平成29年4月7日(2017.4.7)
【手続補正１】
【補正対象書類名】特許請求の範囲
【補正対象項目名】全文
【補正方法】変更
【補正の内容】
【特許請求の範囲】
【請求項１】
化学式Aのイオン化合物、化学式Bのイオン化合物化学式AまたはBのイオン化合物の付加分、結合重合体および少なくとも一個の金属塩化物からなる群から選択されるイオン化合物の再生プロセス。
【化１】
2016516809.tif 000001
ここに、R1とR2は相互独立したアルキルグループであり、Xはハロゲンである。
同プロセスは以下の段階から成る。
a)酢酸エチルを前記の付加物に添加し結合重合体を酢酸エチルに溶解し、少なくとも一つの塩基を統合して化学式AまたはBのイオン化合物、金属塩化物と塩基からなる固形錯体を生成する。
b)前記の錯体をろ過し錯体残留物と、結合重合体を含む酢酸エチルを分離する。次に
c)少なくとも一つの前記の錯体残留物をジクロロメタンで洗い、化学式AまたはBのイオン化合物と金属塩化物と塩基の付加物を得る。
【請求項２】
請求項１で請求されるプロセスであって、ここに、R1とR2はメチル、エチル、プロピル、ブチルからなる群から独立的に選択される。
【請求項３】
請求項１で請求されるプロセスであって、ここに、ハロゲンを臭素と塩素から成る群から選択する。
【請求項４】
請求項１で請求されるプロセスであって、ここに、塩化金属がアルミニウム三塩化物である。
【請求項５】
請求項１で請求されるプロセスであって、ここに、塩基がトリエチルアミン、tert-ブチルアミン、炭酸ナトリウム、重炭酸ナトリウム、炭酸カリウム、重炭酸カリウム、炭酸アンモニウムとこれらの組み合わせからなる群から選択される。
【請求項６】
請求項１で請求されるプロセスであって、ここに、手順(a)は20〜50oCの範囲の温度で実行される。
【請求項７】
請求項１で請求されるプロセスは酢酸エチルとジクロロメタンの回収と再利用手順を含む。
【請求項８】
請求項１で請求されるプロセスであって、ここに、手順(a)はpH値を7〜7.5の範囲に調整することを含む。
【請求項９】
請求項１で請求されるプロセスであって、ここに、イオン化合物の回収率が60〜99%の範囲である。
【手続補正書】
【提出日】平成29年4月6日(2017.4.6)
【手続補正１】
【補正対象書類名】特許請求の範囲
【補正対象項目名】全文
【補正方法】変更
【補正の内容】
【特許請求の範囲】
【請求項１】
癌ではない炎症性疾患または線維性疾患の処置に用いられる、Ｂｃｌ−ｘＬおよび／またはＢｃｌ−ｗの活性および／または量を下方制御する薬剤。
【請求項２】
前記薬剤が化学物質である、請求項１に記載の薬剤。
【請求項３】
前記薬剤がＢｃｌ−ｘＬおよび／またはＢｃｌ−ｗをターゲティングするポリヌクレオチド薬である、請求項１に記載の薬剤。
【請求項４】
（ｉ）Ｂｃｌ−ｘＬおよび／またはＢｃｌ−ｗの活性および／または量を下方制御する薬剤；および
（ｉｉ）ｐ２１の活性および／または量を下方制御する薬剤
を含む、医薬品。
【請求項５】
皮脂調節剤、抗菌薬および／または抗真菌薬、角質溶解薬および／または角質調節剤、収斂薬、抗炎症剤および／または抗刺激剤、抗酸化剤および／またはフリーラジカル消去剤、瘢痕形成剤、老化防止剤、および保湿剤からなる群から選択される少なくとも１つの薬剤をさらに含む、請求項４に記載の医薬品。
【請求項６】
薬学的に許容され得るキャリアおよび活性薬剤としての以下：
（ｉ）Ｂｃｌ−ｘＬおよび／またはＢｃｌ−ｗの活性および／または量を下方制御する薬剤；および
（ｉｉ）ｐ２１の活性および／または量を下方制御する薬剤
を含む薬学的組成物。
【請求項７】
局所送達用に生成された、請求項６に記載の薬学的組成物。
【請求項８】
炎症性疾患または線維性疾患の処置のために使用され、前記疾患が癌ではない、サイクリン依存性キナーゼインヒビター１（ｐ２１）の活性および／または量を下方制御する薬剤。
【請求項９】
前記疾患が軟骨変性に関連する、請求項１〜３または８のいずれか一項に記載の薬剤。
【請求項１０】
前記疾患が、肝臓線維症、創傷治癒、皮膚線維症、肺疾患、腎臓線維症、前立腺炎、アテローム性動脈硬化症、関節炎、および膵炎からなる群から選択される、請求項１〜３または８のいずれか一項に記載の薬剤。
【請求項１１】
キャリア、ｐ２１の活性および／または量を下方制御する少なくとも１つの活性薬剤、ならびにＢｃｌ−ｘＬおよび／またはＢｃｌ−ｗの活性および／または量を下方制御する少なくとも１つの活性薬剤を含む組成物であって、局所投与のために処方される、組成物。
【請求項１２】
前記Ｂｃｌ−ｘＬおよび／またはＢｃｌ−ｗの活性および／または量を下方制御する少なくとも１つの活性薬剤がＡＢＴ−７３７またはＡＢＴ−２６３である、請求項１１に記載の組成物。
【請求項１３】
前記肺疾患が慢性閉塞性肺疾患（ＣＯＰＤ）を含む、請求項１０に記載の薬剤。
【請求項１４】
局所投与用組成物として生成される、請求項１に記載の薬剤。
【請求項１５】
前悪性病変の処置に用いられる、Ｂｃｌ−ｘＬおよび／またはＢｃｌ−ｗの活性および／または量を下方制御する薬剤。
【請求項１６】
（ｉ）Ｂｃｌ−ｘＬおよび／またはＢｃｌ−ｗの活性および／または量を下方制御する薬剤；および
（ｉｉ）ｐ２１の活性および／または量を下方制御する薬剤
を含む、前悪性病変の処置に用いられる組成物。
【請求項１７】
前記前悪性病変が、膵臓の前悪性病変である、請求項１５に記載の薬剤または請求項１６に記載の組成物。
【手続補正書】
【提出日】平成29年2月24日(2017.2.24)
【手続補正１】
【補正対象書類名】特許請求の範囲
【補正対象項目名】全文
【補正方法】変更
【補正の内容】
【特許請求の範囲】
【請求項１】
少なくとも１つの油性相を含有する生理学的に許容される媒体を含む化粧料組成物であって、上記油性相が下記（ｉ）および（ｉｉ）を少なくとも含む化粧料組成物、
（ｉ）上記油性相に分散した水性小滴中に存在するシリコーンエラストマー、
（ｉｉ）下記から選択される少なくとも１の特定の界面活性剤、
ａ）一般式（Ｉ）の、シリコーン側鎖および親水性側鎖を有する化学構造を有するシリコーン界面活性剤、
2016516807.tif 000001
式中、
ａは、１．０以上かつ２．５以下であり、
ｂは、０．００１以上かつ１．５以下であり、
ｃは、０．００１以上かつ１．５以下であり、
Ｒ１は、１〜１０個の炭素原子を含有するアルキル基であり、
Ｒ２は、−ＣｍＨ２ｍ−Ｏ−Ｘにより表されうる親水性基であり、
ｍは、０より大きくかつ２０以下であり、
Ｘは［Ｃ２Ｈ４Ｏ］ｄ［Ｃ３Ｈ６Ｏ］ｅＲ４であり、
ｄは２以上かつ２００以下であり、
ｅは０以上かつ２００以下であり、
Ｒ４は、水素原子または１〜１０個の炭素原子のアルキル基であり、
Ｒ３は、−ＣｇＨ２ｇ−（ＳｉＲ２Ｏ）ｈ−ＳｉＲ３により表されうるシリコーン基であり、
ｇは、１以上かつ５以下であり、
ｈは、１以上かつ５００以下であり、
Ｒは、１〜１０個の炭素原子のアルキル基である、
ｂ）下記一般式（ＩＩ）の、主鎖の両末端に親水性鎖を有する（α−ω置換）化学構造を有するシリコーン界面活性剤、
2016516807.tif 000002
式中、Ｒ＝−（ＣＨ２）ｐＯ−（Ｃ２Ｈ４Ｏ）ｘ（Ｃ３Ｈ６Ｏ）ｙＲ１であり、
Ｒ１は、Ｈ、ＣＨ３またはＣＨ２ＣＨ３を表し、
ｐは、１〜５の範囲の整数であり、ｘは、１〜１００であり、ｙは、０〜５０であり、
単位（Ｃ２Ｈ４Ｏ）および（Ｃ３Ｈ６Ｏ）はランダムにまたはブロックで分布し得、
Ｒ２基は、Ｃ１−Ｃ３アルキル基またはフェニル基を表し、
５≦ｍ≦３００である、
ｃ）ポリグリセロールと（ｉ）２〜５個のポリグリセロール単位を有する、ポリヒドロキシステアリン酸、（ｉｉ）４〜１４個の炭素原子を含有する直鎖状または分岐状の脂肪族ジカルボン酸、および（ｉｉｉ）１６〜２０個の炭素原子を含有する飽和または不飽和の、直鎖状または分岐状の脂肪酸との混合物のエステル化から結果する、炭化水素に基づく界面活性剤。
【請求項２】
Ｗ／ＯまたはＯ／Ｗ／Ｏエマルジョンの形態である、請求項１に記載の組成物。
【請求項３】
分散した水性小滴中のシリコーンエラストマーが、部分的にまたは全体的に架橋されたエラストマー状オルガノポリシロキサンの粒子である、請求項１または２に記載の組成物。
【請求項４】
分散した水性小滴中のシリコーンエラストマーが、組成物中に、０．１〜３０重量％の範囲の活性物質量で存在する、請求項１〜３のいずれか一項に記載の組成物。
【請求項５】
上記特定の界面活性剤が、ＰＥＧ−９ポリジメチルシロキシエチルジメチコンである、請求項１〜４のいずれか一項に記載の組成物。
【請求項６】
上記特定の界面活性剤が、一般式（ＩＩ）において、
全てのＲ２基がメチル基であり、
Ｒ＝−（ＣＨ２）ｐＯ−（Ｃ２Ｈ４Ｏ）ｘ（Ｃ３Ｈ６Ｏ）ｙＲ１であり、
Ｒ１は、Ｈ、ＣＨ３またはＣＨ２ＣＨ３を表し、
ｐは２〜４の範囲であり、
ｘは３〜１００の範囲であり、
ｙは０〜５０の範囲であり、
ｍは５０〜２００の範囲である
ところのシリコーン界面活性剤である、請求項１〜４のいずれか一項に記載の組成物。
【請求項７】
上記特定の界面活性剤が下記式に対応する、請求項１〜４のいずれか一項に記載の組成物、
2016516807.tif 000003
式中、
ｍ＝１００であり、
Ｒ＝（ＣＨ２）３−Ｏ−（Ｃ２Ｈ４Ｏ）ｘ（Ｃ３Ｈ６Ｏ）ｙ−ＣＨ３であり、ここで、ｘは３〜１００の範囲であり、ｙは１〜５０の範囲であり、基Ｃ３Ｈ６Ｏに対する基Ｃ２Ｈ４Ｏの重量比が約４２／５８であり、Ｒの平均分子量が８００〜１０００の範囲である。
【請求項８】
上記特定の界面活性剤が下記式のポリグリセリル−４ジイソステアレートポリヒドロキシステアレートセバケートである、請求項１〜４のいずれか一項に記載の組成物、
2016516807.tif 000004
式中、ＰＨＳはポリヒドロキシステアリン酸を意味し、ＩＳはイソステアリン酸を意味する。
【請求項９】
上記特定の界面活性剤が、組成物の総重量に対して、０．１〜１５重量％の範囲の含有量で存在する、請求項１〜８のいずれか一項に記載の組成物。
【請求項１０】
上記油性相が、シリコーン油を含む、またはシリコーン油のみから成る、請求項１〜９のいずれか一項に記載の組成物。
【請求項１１】
上記油性相の比率が、組成物の総重量に対して３〜９８重量％である、請求項１〜１０のいずれか一項に記載の組成物。
【請求項１２】
ファンデーション、メイクアップベース、フェイスパウダー、アイシャドー、コンシーラー製品、頬紅、またはボディーメイクアップ製品または皮膚着色製品の形態である、請求項１〜１１のいずれか一項に記載の組成物。
【請求項１３】
請求項１〜１２のいずれか一項に記載の化粧料組成物を製造する方法であって、シリコーンエラストマーの水性懸濁物を油性相に分散させる少なくとも１の工程、および請求項１および５〜９のいずれか一項で定義されたａ）、ｂ）およびｃ）から選択される少なくとも１の特定の界面活性剤を上記油性相に導入する少なくとも１の工程を含むところの方法。
【請求項１４】
請求項２〜１２のいずれか一項に記載の化粧料組成物を製造する方法であって、少なくとも下記の２の工程（ｉ）および（ｉｉ）：
（ｉ）水性相および油性相の乳化により、Ｗ／ＯまたはＯ／Ｗ／Ｏエマルジョンを製造する工程、ここで外側油性相は、請求項１および５〜９のいずれか一項で定義されたａ）、ｂ）およびｃ）から選択される少なくとも１の特定の界面活性剤を含有する、および
（ｉｉ）シリコーンエラストマーの水性懸濁物を上記外側油性相中に分散させる工程
をこの順序で含むところの方法。
【請求項１５】
皮膚のメイクアップおよび／またはケア方法であって、請求項１〜１２のいずれか一項に記載の組成物を施与する工程を含む方法。